(57)【要約】      （修正有）【課題】複数枚の紙片を挟持保管できると同時に、紙片を挟持したままの状態で束ねた紙片の内側に位置する紙片を含め各紙片の内容を冊子と同様に１枚１枚めくることを可能とすることで目視確認できるようにしたクリアホルダを提供する。【解決手段】透明又は半透明な偏平状の薄片の横方向中央部を縦方向に折り曲げ部を設けて表面片２及び裏面片３を形成し、表面片及び裏面片の折り曲げ部４に直交方向で連続する上縁部又は下縁部のいずれか１辺の内側端部の対向位置に貼着剥離自在の粘着剤層５を形成することによりＬ字型又は逆Ｌ字型の上記１辺を開閉自在とした閉鎖部を形成し、残余の縁部を逆Ｌ字型又はＬ字型の開放部として形成してなるクリアホルダにおいて、表面片及び裏面片の折り曲げ部側及びそれに対向する縁部側の２箇所の位置に少なくとも指の入る大きさとなる被挟持物の紙ばらしのための貫通孔を設けた。【選択図】図１
2017213750.tif 000002
【特許請求の範囲】
【請求項１】
透明又は半透明な偏平状の薄片の横方向中央部を縦方向に折り曲げ部を設けて表面片及び裏面片を形成し、該表面片及び裏面片の折り曲げ部に直交方向で連続する上縁部又は下縁部のいずれか１辺の内側端部の対向位置に貼着剥離自在の粘着剤層を形成することによりＬ字型又は逆Ｌ字型の上記１辺を開閉自在とした閉鎖部を形成し、残余の縁部を逆Ｌ字型又はＬ字型の開放部として形成してなるクリアホルダにおいて、表面片及び裏面片の折り曲げ部側及びそれに対向する縁部側の２箇所の位置に少なくとも指の入る大きさとなる被挟持物の紙ばらしのための貫通孔を設けたことを特徴とする開閉自在なクリアホルダ。
【請求項２】
貫通孔は、折り曲げ部側は縦方向の中央部又はその下方位置に該折り曲げ部の一部を切欠するように設け、縁部側は縁部の一部を切欠するように設けてなることを特徴とする請求項１記載の開閉自在なクリアホルダ。
【請求項３】
貫通孔は、折り曲げ部側は縦方向の中央部又はその下方位置の該折り曲げ部に近接した内側位置に設け、縁部側は縁部に近接した内側位置に設けてなることを特徴とする請求項１記載の開閉自在なクリアホルダ。
【請求項４】
貼着剥離自在の粘着剤層は、点状又は線状の層とし、表面片及び裏面片のいずれか一方側が他方側の非粘着層部分に位置するように配設してなることを特徴とする請求項１乃至３のいずれか記載の開閉自在なクリアホルダ。
【請求項５】
表面片及び裏面片との間に中仕切片を設けたことを特徴とする請求項１乃至４のいずれか記載の開閉自在なクリアホルダ。
【請求項６】
表面片又は裏面片のいずれかの開放部側にインデックス片を突出形成してなることを特徴とする請求項１乃至５のいずれか記載の開閉自在なクリアホルダ。
【発明の詳細な説明】
【技術分野】
【０００１】
本発明は、紙片を保管するときは矩形状の周囲の縁部４辺の内、背部を含む２辺がＬ字型に閉鎖され、該紙片をめくったり取り出すときは背部のみが閉鎖され他の３辺を開放することのできる開閉自在なクリアホルダに関する。
【背景技術】
【０００２】
従来より知られているクリアホルダは、周囲の縁部４辺の内、開放部は逆Ｌ字型の２辺であり、他の２辺は折り曲げ又は溶着等によりＬ字型に強固に閉鎖されており、複数枚の紙片を挟持することはできるが、該クリアホルダに挿入したままでその複数枚の紙片の表・裏面以外の内側に重ねられて位置する紙片は透明又は半透明なクリアホルダであっても外側から目視することはできず、それらを目視確認するためにはそれら紙片を該クリアホルダの開放部より取り出す必要があった。
【０００３】
また、クリアホルダに複数枚の綴じられていない紙片を挟み込む場合、該紙片の縁部は相互にそろえて重ねられているので該クリアホルダから紙片を取り出す操作に加え各紙片をスムーズに１枚１枚めくるためには各紙片をずらすための移動操作も必要であった。
【０００４】
クリアホルダから紙片を取り出すことに関して下記する特許文献１があるが、該特許文献１は、クリアファイルの上シート及び下シートの上辺近傍に長穴を１箇所設け、該クリアファイルに綴じ込んだ書類を長穴を通じて指で挟み、長穴の長さ分だけ書類を上方移動させ該書類をクリアファイルの縁部開口から取り出すことができるようにしたもので、クリアファイルの開放部を拡げることなく該書類を取り出すことのできるものである。
【先行技術文献】
【特許文献】
【０００５】
【特許文献１】実用新案登録第３１９４８１２号公報
【発明の概要】
【発明が解決しようとする課題】
【０００６】
本発明は、複数枚の紙片をクリアホルダに挟持保管できると同時に、該紙片を挟持したままの状態で束ねた紙片の内側に位置する紙片を含め各紙片の内容を冊子と同様に１枚１枚めくることを可能とすることで目視確認できるようにしたものである。また、挟持したままの状態で綴じられていない複数枚の紙片を外方側から予めずらし移動させておくことができ、クリアホルダ内で紙片の紙めくりを１枚１枚スムーズに行うことができるようにしたものである。
【課題を解決するための手段】
【０００７】
本発明は、透明又は半透明な偏平状の薄片の横方向中央部を縦方向に折り曲げ部を設けて表面片及び裏面片を形成し、該表面片及び裏面片の折り曲げ部に直交方向で連続する上縁部又は下縁部のいずれか１辺の内側端部の対向位置に貼着剥離自在の粘着剤層を形成することによりＬ字型又は逆Ｌ字型の上記１辺を開閉自在とした閉鎖部を形成し、残余の縁部を逆Ｌ字型又はＬ字型の開放部として形成してなるクリアホルダにおいて、表面片及び裏面片の折り曲げ部側及びそれに対向する縁部側の２箇所の位置に少なくとも指の入る大きさとなる被挟持物の紙ばらしのための貫通孔を設けた開閉自在なクリアホルダを特徴とする。
【０００８】
また、貫通孔は、折り曲げ部側は縦方向の中央部又はその下方位置に該折り曲げ部の一部を切欠するように設け、縁部側は縁部の一部を切欠するように設けてなる開閉自在なクリアホルダを特徴とする。
【０００９】
更に、貫通孔は、折り曲げ部側は縦方向の中央部又はその下方位置の該折り曲げ部に近接した内側位置に設け、縁部側は縁部に近接した内側位置に設けてなる開閉自在なクリアホルダを特徴とする。
【００１０】
また、貼着剥離自在の粘着剤層は、点状又は線状の層とし、表面片及び裏面片のいずれか一方側が他方側の非粘着層部分に位置するように配設してなる開閉自在なクリアホルダを特徴とする。
【００１１】
更に、表面片及び裏面片との間に中仕切片を設けた開閉自在なクリアホルダを特徴とする。
【００１２】
また、表面片又は裏面片のいずれかの開放部側にインデックス片を突出形成してなる開閉自在なクリアホルダを特徴とする。
【発明の効果】
【００１３】
本発明は、１個のクリアホルダにより複数枚の紙片の保管機能とそれら紙片を該クリアホルダより取り出すことなく表面片が表表紙、裏面片が裏表紙と同様の役割をして冊子のように閲覧機能を備えることができるようにしたものである。
【００１４】
また、紙片を閲覧するには紙めくりをすることになるが、クリアホルダに保管している状態で重なった複数枚の各紙片の位置を予め少しずらし移動させておくことができ、クリアホルダの開放時に複数枚の紙片の紙めくりが１枚１枚容易に行えることが可能となった。
【図面の簡単な説明】
【００１５】
【図１】本発明の開閉自在なクリアホルダの展開状態を示す平面図。
【図２】本発明の開閉自在なクリアホルダの閉鎖時の平面図。
【図３】（ａ）、（ｂ）、（ｃ）貼着剥離自在の粘着剤層の実施例を示す平面図。
【図４】（ａ）本発明の開閉自在なクリアホルダに紙片を重ねて挟持した状態を示す平面図、（ｂ）重ねた紙片の縦方向を少しずらし移動した状態を示す平面図。
【図５】貫通孔の位置の他の実施例の平面図。
【図６】中仕切片を設けた開閉自在なクリアホルダの他の実施例の断面図。
【図７】表面片又は裏面片の開放部側にインデックス片を設けた平面図。
【発明を実施するための形態】
【００１６】
以下、図面を参照して本発明の実施の形態を詳細に説明する。
【実施例１】
【００１７】
図１は、本発明の開閉自在なクリアホルダ１の開放状態を示している。該クリアホルダ１は、透明又は半透明或いはそれらに適宜図形や文字を施したもので、同一の大きさとなる表面片２及び裏面片３の２片が各々表裏面を形成するように横方向中央部に折り曲げ自在とした縦方向の折り曲げ部４を設けている。
【００１８】
該表面片２の内側及び該裏面片３の内側下端部に各々貼着剥離自在の粘着剤層５、６を設け、該表面片２及び裏面片３を重ねたときに該粘着剤層５、６により両者が結合され、図２に示す閉鎖状態のクリアホルダ１を形成する。矩形体のクリアホルダ１の周縁部の４箇所の内、下縁部７が閉鎖され、上記折り曲げ部４と該下縁部７とによりＬ字型部分が閉鎖され、残りの逆Ｌ字型の２縁部が開放された縦方向開口縁部８及び横方向開口縁部９となるクリアホルダ１が形成されることになる。
【００１９】
貼着剥離自在の粘着剤層５、６は、線状のもの、点状のもの等様々な形態のものが使用される。図３（ａ）に示すように、表面片２及び裏面片３のいずれか側を２本の連続線とし、他方側をその２本の連続線の間隙に入り込む１本の連続線としたもの、（ｂ）の一方側を２本の点状の断続線とし、他方側をその２本の断続線の間隙に入り込む１本の断続線に沿った点状としたもの、（ｃ）の一方側を２本の点状の断続線とし、他方側をその２本の断続線の点状の各々の点状間に貼着する位置に設けた２本の点状の断続線としたもの等、様々な配置のものが使用される。また、折り曲げ部４の粘着剤層５、６のない非粘着剤層を設けることもできる。
【００２０】
クリアホルダ１の折り曲げ部４及びそれに対向する開口縁部８に各々手の指の入る大きさの貫通孔１０、１１を設ける。縦方向の中央部或いはそれに近接した下方位置に、該折り曲げ部４及び開口縁部８の一部を切欠して表面片２及び裏面片３の両者を貫通させて該貫通孔１０、１１を形成している。
【００２１】
通常、クリアホルダ１にはばらされた複数枚の紙片Ａ、Ｂ、Ｃ、…が縁部をそろえた積層状態で保持されているが、該貫通孔１０、１１に指を入れて該紙片束を縁部を挟持し、該指を該クリアホルダ１の表面片２側が突出し裏面片３側がへこむ方向及びその逆の方向に向けて縦方向の中心部に力を加えることにより該表面片２及び裏面片３は凹凸状の波を打つことになり、これを繰り返すことによりそろえられた複数枚の紙片Ａ、Ｂ、Ｃ、…は縦方向の位置が図４（ａ）の状態から図４（ｂ）に示す状態へと少しずらされた位置へと移動することになる。
【００２２】
この状態で貼着剥離自在の粘着剤層５、６の粘着状態を剥離させることにより表面片２及び裏面片３が展開され、複数枚の束ねた紙片Ａ、Ｂ、Ｃ、…が各々縦方向において少しずれた移動した状態で露出することになる。
【００２３】
各々の紙片Ａ、Ｂ、Ｃ、…は、重なっている複数枚の紙片の縁部が少しずれているのでめくり易くなり、少しずらされた紙片を内側とし、それに比較して硬度のあるクリアホルダ１の表面片２及び裏面片３が各々表表紙及び裏表紙の役割をなすことができ、該クリアホルダ１より紙片を取り出すことなく紙片の内容を閲覧することが可能となる。
【実施例２】
【００２４】
図５は、他の実施例の開閉自在なクリアホルダ１２で、貫通孔１３、１４の位置を折り曲げ部１５の内側及び開口縁部１６の内側となる本体の内側で、且つ、縦方向の中心位置或いはそれに近接した位置に設けたものである。
【００２５】
貫通孔１３、１４の位置を内側に設けることにより切欠部が縁部に現れることがなく、当該部分の隅部の鋭敏な露出部によって使用者にひっかけ傷を生じさせたり他の物を損傷させたりするおそれがない。下縁部１７に貼着剥離自在の粘着剤層１８を設けておくことは実施例１と同様である。
【実施例３】
【００２６】
図６に示すものは、表面片１９と裏面片２０との間に中仕切片２１を設けたものである。中仕切片２１は複数枚とすることもできる。中仕切片２１を設けることによりより多くの紙片Ａ、Ｂ、Ｃ、…を区別しながら保管することができる。各々の表面片１９、裏面片２０及び中仕切片２１に、位置が同じ貫通孔２２〜２７を設け、且つ、各々の片１９、２０、２１の内側の下縁部に貼着剥離自在の粘着剤層２８〜３１を設けておくことは、上記実施例１、２と同様である。
【００２７】
表面片１９と中仕切片２１間、中仕切片２１相互間及び中仕切片２１と裏面片２０間に複数の紙片を区別して挟持保管することができるが、それらを実施例１と同様に各々に挟持された紙片を少しばらして移動させることができる。貫通孔２２〜２７より露出している紙片束を指で押え、表面片１９及び裏面片２０に波を生じさせ、これを繰り返すことにより複数枚の紙片の縦列をずらすことができる。
【実施例４】
【００２８】
図７は、他の実施例の開閉自在なクリアホルダ３２で、表面片３３、裏面片３４或いは中仕切片３５の縦方向開口縁部３６よりインデックス片３７を突出形成している。クリアホルダ３２に保管された紙片の内容を該インデックス片３７により確認することができる。突出位置は別体のクリアホルダ毎、表面片、裏面片、中仕切片３３〜３５毎にずらして配置することで目視を容易とすることができる。他の構成は上記実施例１〜３と同様である。
【符号の説明】
【００２９】
１、１２、３２                      クリアホルダ
２、１９、３３                      表面片
３、２０、３４                      裏面片
４、１５                            折り曲げ部
５、６、１８、２８〜３１            貼着剥離自在の粘着剤層
７、１７                            下縁部
８、１６、３６                      縦方向開口縁部
９                                  横方向開口縁部
１０、１１、１３、１４、２２〜２７  貫通孔
２１、３５                          中仕切片
３７                                インデックス片
【図１】
2017213750.tif 000003
【図２】
2017213750.tif 000004
【図３】
2017213750.tif 000005
【図４】
2017213750.tif 000006
【図５】
2017213750.tif 000007
【図６】
2017213750.tif 000008
【図７】
2017213750.tif 000009